(57)【要約】【課題】操作性が良好であり、かつ、被保持物が脱落し難いクリップを提供する。【解決手段】クリップ本体７を具備し、このクリップ本体７に、ケース体３が係合可能な保持具８を、クリップ本体７に対して回動可能に取り付ける。クリップ本体７は、被装着箇所を挟持してクリップ１を被装着箇所に装着する挟持部と、保持具８を回動可能に取り付ける保持具取付部とを有する。保持具８は、両端の一方の開口部および他方の開口部の開口方向を軸方向とした略筒状であり、周面部にケース体３の係合孔２を係合可能な保持具本体を有する。また、保持具取付部に回動可能に取り付け可能な被取付部を保持具本体の周面部の一部に形成する。さらに、保持具本体における周面部の被取付部に対向する箇所に、ケース体３の一部が挿通可能な挿通部３８を一方の開口部から他方の開口部へわたって切り欠いて形成する。【選択図】図１
2010281390.tif 000002
【特許請求の範囲】
【請求項１】
係合孔を有する被保持物が係合され吊り下げられた状態で被装着箇所に装着されるクリップであって、
クリップ本体と、
このクリップ本体に対して回動可能に取り付けられ前記被保持物が係合される保持具とを具備し、
前記クリップ本体は、被装着箇所を挟持する挟持部と、前記保持具が回動可能に取り付けられる保持具取付部とを有し、
前記保持具は、両端に開口部が形成されこれらの開口部の開口方向を軸方向とした略筒状であり周面部に前記被保持物の係合孔を係合可能な保持具本体と、この保持具本体の前記周面部の一部に形成され前記保持具取付部に回動可能に取り付けられる被取付部と、前記周面部の前記被取付部に対向する箇所に前記一方の開口部から他方の開口部へわたって切り欠かれて形成され前記被保持物の一部が挿通可能な挿通部とを有する
ことを特徴とするクリップ。
【請求項２】
挿通部は、保持具本体の軸方向に対して傾斜して形成された
ことを特徴とする請求項１記載のクリップ。
【請求項３】
挿通部は、一端が一方の開口部に接続し他端が周面部上に位置する第１切欠部と、この第１切欠部の他端から他方の開口部へわたって連続して形成され前記第１切欠部とは異なる方向へのびる第２切欠部とを有し、前記第１切欠部と前記第２切欠部との境界部にて屈曲した形状に形成された
ことを特徴とする請求項１記載のクリップ。
【請求項４】
挿通部は、一端が一方の開口部に接続し他端が周面部上に位置する直線状の第１切欠部と、一端が他方の開口部に接続し他端が周面部上に位置する直線状の第２切欠部と、これら第１切欠部の他端と第２切欠部の他端との間に連続して形成された第３切欠部とを有し、この第３切欠部は前記第１切欠部および前記第２切欠部の少なくともいずれか一方と同一直線上に位置しないように配置されている
ことを特徴とする請求項１記載のクリップ。
【請求項５】
挿通部は、一方の開口部から他方の開口部へわたって連続した少なくとも１つの略円弧状の切欠部にて形成された
ことを特徴とする請求項１記載のクリップ。
【発明の詳細な説明】
【技術分野】
【０００１】
本発明は、係合孔を有する被保持物を係合して吊り下げた状態で保持し、衣類等の装着対象物の被装着箇所を挟持して装着されるクリップに関する。
【背景技術】
【０００２】
従来、この種のクリップとしては、クリップ本体と、このクリップ本体に回動可能に取り付けられ、名札等の被保持物を係合可能なＵ字状の鈎片とを備え、この鈎片の両端が弾性的に離隔可能な構成のものが知られている（例えば、特許文献１参照。）。
【０００３】
また、クリップ本体としての基部を備え、この基部は、名札等の被保持物としての表示片を挟持する第１のクリップ手段と、使用者の衣類等の装着対象物の被装着箇所を挟持する第２のクリップ手段とを有する構成のものが知られている（例えば、特許文献２参照。）。
【０００４】
さらに、名札等の被保持物を着脱するための開放口が形成されたフック部を有するクリップ本体と、このクリップ本体に回動可能に取り付けられた移動部材とを有し、前記移動部材を回動することにより、前記フック部の開放口が開閉可能であり、前記被保持物を取り付ける際には前記開放口を開放し、前記被保持物を取り付けた状態で前記移動部材にて前記開放口を閉塞して取り付けた状態を保持する構成のものが知られている（例えば、特許文献３参照。）。
【先行技術文献】
【特許文献】
【０００５】
【特許文献１】実用新案登録第３０８６９６１号公報（第３−５頁、図１）
【特許文献２】特許第３５９０３２６号公報（第２−４頁、図１，２）
【特許文献３】特開２００６−３２２５７７号公報（第３−６頁、図１，４）
【発明の概要】
【発明が解決しようとする課題】
【０００６】
しかしながら、上述した特許文献１の構成では、Ｕ字状の鈎片に、被保持物の係合孔を挿通させて係合するだけであるので、鈎片がクリップ本体に対して回動し、鈎片の両端が下方を向いた際等には、被保持物が脱落し易い問題が考えられる。
【０００７】
また、上述した特許文献２の構成では、使用の際には、第１のクリップに外力を与えてこの第１のクリップを一旦開いた状態で被保持物を挿入して被保持物を挟持させる必要があるので、被保持物を吊り下げる作業が煩雑であり、操作性が悪いとともに、第１のクリップおよび第２のクリップのいずれか開く際に、他方のクリップまで開いてしまう場合があるので、操作性が悪い問題が考えられる。
【０００８】
さらに、上述した特許文献３の構成では、使用の際には、一旦移動部材を回動させてフック部材の開放口を開放し、被保持物の係合孔をフック部に挿通させて取り付けた後、移動部材を回動させてフック部材の開放口を閉塞させる必要があるので、被保持物を取り付ける作業が煩雑で、操作性が悪い問題が考えられる。
【０００９】
本発明はこのような点に鑑みなされたもので、操作性が良好であり、かつ、被保持物が脱落し難いクリップを提供することを目的とする。
【課題を解決するための手段】
【００１０】
本発明は、係合孔を有する被保持物が係合され吊り下げられた状態で被装着箇所に装着されるクリップであって、クリップ本体と、このクリップ本体に対して回動可能に取り付けられ前記被保持物が係合される保持具とを具備し、前記クリップ本体は、被装着箇所を挟持する挟持部と、前記保持具が回動可能に取り付けられる保持具取付部とを有し、前記保持具は、両端に開口部が形成されこれらの開口部の開口方向を軸方向とした略筒状であり周面部に前記被保持物の係合孔を係合可能な保持具本体と、この保持具本体の前記周面部の一部に形成され前記保持具取付部に回動可能に取り付けられる被取付部と、前記周面部の前記被取付部に対向する箇所に前記一方の開口部から他方の開口部へわたって切り欠かれて形成され前記被保持物の一部が挿通可能な挿通部とを有するものである。
【発明の効果】
【００１１】
本発明によれば、保持具は、保持具本体の周面部に被保持物の一部が挿通可能な挿通部を有することにより、この挿通部に被保持物の一部を挿通して、この被保持物の係合孔を保持具本体の周面部に係合させるだけで、前記被保持物を吊り下げた状態にできるので、操作性が良好である。また、前記挿通部は前記保持具本体の周面部の被取付部に対向する箇所に形成されているので、前記保持具本体に被保持物を保持し、クリップ本体が被装着箇所を挟持した状態において前記挿通部が前側に位置するため、前記保持具本体に前記係合孔が係合された被保持物が脱落し難い。
【図面の簡単な説明】
【００１２】
【図１】本発明のクリップにおける一実施の形態を示す平面図である。
【図２】同上クリップにおける被保持物を吊り下げていない状態を示す斜視図である。
【図３】（ａ）および（ｂ）は同上クリップにおけるクリップ本体と保持具との取り付け方法を示す部分断面図である。
【図４】クリップにおける保持具の挿通部の変形例を示す平面図である。
【図５】クリップにおける保持具の挿通部の変形例を示す平面図である。
【図６】（ａ）および（ｂ）はクリップにおける保持具の挿通部の変形例を示す平面図である。
【発明を実施するための形態】
【００１３】
以下、本発明の一実施の形態の構成について図１ないし図６を参照しながら詳細に説明する。
【００１４】
図１に示すように、クリップ１は、係合孔２を有する被保持物としてのケース体３を係合して吊り下げた状態で保持するもので、このようにケース体３を吊り下げた状態にて、例えば使用者の衣類等の装着対象物の被装着箇所に装着される。
【００１５】
ケース体３は、例えば使用者の身分を示す名札や社員証、学生証等のカード体４が収用されるもので、例えば透明な合成樹脂等にて略矩形状に形成されている。また、ケース体３は、クリップ１に吊り下げた状態にて上側となる端部の近傍に係合孔２が設けられている。さらに、被装着箇所に装着した状態にて裏側すなわち使用者側となる面には、カード体４を出し入れ可能な収用口５が形成されている。
【００１６】
図２に示すように、クリップ１は、例えば合成樹脂や金属等にて形成されたクリップ本体７を備え、このクリップ本体７には、例えば合成樹脂や金属等にて形成された保持具８がクリップ本体７に対して回動可能に取り付けられている。この保持具８にはケース体３が係合可能である。
【００１７】
クリップ本体７は、第１挟持部材１１と、この第１挟持部材１１に対向し、ピン１２にて枢着された第２挟持部材１３とから形成され、被装着箇所を挟持する挟持部１４を有している。
【００１８】
第１挟持部材１１は、板状の挟持部材本体１５を有している。この挟持部材本体１５の一方の端部には挟持部材本体１５から突出して形成された挟持爪部１６が設けられている。また、挟持部材本体１５の他方の端部には押圧部１７が設けられている。さらに、挟持部材本体１５における挟持爪部１６と押圧部１７との間には、挟持部材本体１５から挟持爪部１６と同じ方向へ突出して形成された枢着部１８が設けられ、この枢着部１８の略中央には、ピン１２が挿通可能な円形の枢着孔１９が形成されている。
【００１９】
第２挟持部材１３は、段状に屈曲した段部２４が形成された挟持部材本体２５を有している。この挟持部材本体２５の一方の端部には、第１挟持部材１１と第２挟持部材１３とを枢着した状態において、挟持爪部１６と対向するように挟持部材本体２５から第１挟持部材１１側へ突出して形成された挟持爪部２６が設けられている。また、挟持部材本体２５の他方の端部には押圧部２７が設けられている。さらに、挟持部材本体２５における挟持爪部２６と押圧部２７との間には、挟持部材本体２５から挟持爪部２６と同じ方向へ突出して形成された枢着部２８が設けられ、この枢着部２８の略中央には、ピン１２が挿通可能な円形の図示しない枢着孔が形成されている。
【００２０】
枢着部１８の枢着孔１９の内径と、枢着部２８の枢着孔の内径と、ピン１２の外径とは殆ど同径であり、第１挟持部材１１および第２挟持部材１３は、挟持爪部１６と挟持爪部２６とを対向させ、枢着部１８の枢着孔１９と枢着部２８の枢着孔とが同心円状に重なった状態で、枢着部１８の枢着孔１９および枢着部２８の枢着孔にピン１２が挿嵌されている。また、挟持爪部１６と挟持爪部２６とによって挟持部１４が構成され、挟持爪部１６と挟持爪部２６とにより被装着箇所を挟持する。さらに、挟持部材本体１５と挟持部材本体２５との間には、挟持爪部１６と挟持爪部２６とを接近させ、押圧部１７と押圧部２７とを離間させる方向へ第１挟持部材１１および第２挟持部材１３を付勢する付勢手段としての板ばね２９が設けられている。そして、板ばね２９の付勢力により、挟持部１４に挟持力が付与され、この挟持力により、クリップ１は被装着箇所に装着された状態が保持される。
【００２１】
第１挟持部材１１と第２挟持部材１３とを枢着させた状態における挟持部材本体２５の外側面の段部２４より挟持爪部２６側には、挟持部材本体２５から挟持爪部２６とは反対方向へ向かって突出した突起状の保持具取付部３０が形成されている。
【００２２】
保持具８は、一端に一方の開口部３２が形成され、他端に他方の開口部３３が形成され、これら開口部３２，３３の開口方向を軸方向とした略円筒状の保持具本体３４を有している。
【００２３】
保持具本体３４は、周面部３５の一部に平坦に成形された被取付面３６を有し、この被取付面３６には、保持具取付部３０と係合して取り付けられる孔状の被取付部３７が形成されている。この被取付部３７は、保持具本体３４の内側へ細いテーパ状に形成されている。
【００２４】
また、保持具本体３４の周面部３５における被取付部３７に対向する箇所、すなわち、クリップ１が被装着箇所を挟持した状態において前側となる箇所には、ケース体３の一部が挿通可能に切り欠かれて開放された挿通部３８が設けられている。この挿通部３８は、保持具本体３４の一方の開口部３２から他方の開口部３３へわたって切り欠かれ、保持具本体３４の軸方向に対して傾斜した略直線状に形成されている。また、挿通部３８の幅は、吊り下げることが想定されるケース体３の厚みと同等に設定されている。
【００２５】
ここで、図３（ａ）に示すように、クリップ本体７の保持具取付部３０は、基端部４１と、この基端部４１に接続され、間隙４２を介して形成された軸部４３，４４が設けられている。また、また、これら軸部４３，４４の先端には、軸部４３，４４からそれぞれ外側へ突出した係合爪部４５，４６が設けられている。
【００２６】
クリップ本体７に保持具８を取り付ける際には、軸部４３，４４および係合爪部４５，４６を間隙４２へ向かって押圧して、軸部４３，４４を弾性変形させて係合爪部４５と係合爪部４６とを接近させた状態にて、保持具取付部３０を被取付部３７に挿通させる。すると、図３（ｂ）に示すように、弾性変形させた軸部４３，４４が復原し、係合爪部４５，４６が保持具本体３４の被取付部３７の周縁近傍に係合可能な状態になり、保持具８がクリップ本体７に対して回動可能に取り付けられる。
【００２７】
次に、上記の実施の形態の作用、動作および効果を説明する。
【００２８】
クリップ１の使用に際しては、まず、カード体４が収納されたケース体３の係合孔２側の端部を挿通部３８と平行な状態にする。
【００２９】
また、係合孔２側の端部を保持具本体３４の挿通部３８に挿通させ、挿通部３８間に係合孔２を位置させる。
【００３０】
さらに、挿通部３８から周面部３５を係合孔２に挿通させ、保持具本体３４の周面部３５の内面側に係合孔２を係合させて、図１に示すようなクリップ１にケース体３を吊り下げた状態にする。
【００３１】
このようにケース体３を吊り下げた状態のクリップ１において、クリップ本体７の押圧部１７，２７を板ばね２９の付勢力に抗して押圧し、挟持爪部１６と挟持爪部２６とを離間させる。
【００３２】
挟持部１４が使用者の被装着箇所を挟持し、板ばね２９の付勢力によってこの挟持状態が保持される。
【００３３】
そして、クリップ１によれば、保持具８が、保持具本体３４の周面部３５に、一方の開口部３２から他方の開口部３３へわたって挿通部３８が切り欠かれて形成され、この挿通部３８がケース体３の一部を挿通可能であることにより、挿通部３８にケース体３の係合孔２側の端部を挿通して、ケース体３の係合孔２を保持具本体３４の周面部３５に係合させるだけで、ケース体３を吊り下げた状態にできる。したがって、容易にケース体３を吊り下げた状態にできるので、クリップ１を使用する際の操作性が良好である。
【００３４】
また、挿通部３８は、保持具本体３４の周面部３５において、被取付部３７が設けられた被取付面３６と対向する箇所に形成されていることにより、保持具本体３４に係合孔２が係合されたケース体３が、クリップ本体７に対する保持具８の回動により保持具本体３４とともに回動したとしても、係合が解除されず係合状態を保持できるので、ケース体３が保持具本体３４から脱落し難く、ケース体３の脱落を防止できる。
【００３５】
また、挿通部３８が、保持具本体３４の軸方向に対して傾斜して形成されていることにより、吊り下げ状態にて、仮に、挿通部３８が重力方向である下方を向く状態等になったとしても、ケース体３は、傾斜状の挿通部３８からは脱落し難いので、より確実にケース体３の脱落を防止できる。
【００３６】
さらに、挿通部３８が略直線状に形成されることにより、ケース体３を吊り下げる際に、ケース体３の端部を挿通部３８に平行な状態にして挿通させるだけであるので、保持具本体３４にケース体３を容易に係合できる。
【００３７】
保持具８がクリップ本体７に対して回動可能に取り付けられていることにより、クリップ本体の装着状態に関らず、例えば、挟持爪部１６，２６と押圧部１７，２７とが重力方向において同じ高さとなる状態、すなわちクリップ１が水平な状態で被装着箇所を挟持した場合等のように、挟持部１４が鉛直方向の下側に位置しない場合であっても、保持具８が、ケース体３等の重量によってクリップ本体７に対して回動して、保持具本体３４の軸方向が略水平な状態となり、ケース体３が保持具８に対して鉛直方向に吊り下げられた状態となる。したがって、ケース体３を、常にカード体４が確認し易い正しい状態で吊り下げることができる。
【００３８】
また、保持具８がクリップ本体７に対して回動可能であり、保持具本体３４が略筒状であるので、一方の面が前方を向き他方の面が使用者側を向いたケース体３を吊り下げた状態の保持具８を１８０度回動させ、そのケース体３を保持具本体３４の周面部３５に沿って反転させるだけで、ケース体３の一方の面を使用者側へ向け、他方の面を前方へ向けた状態にでき、ケース体３を容易に裏返すことができる。したがって、例えば、カード体４に記載された個人情報等を掲示したくない場合や、一方の面と他方の面とで異なる情報が記載され、目的に応じて一方の面と他方の面とを掲示する場合等に非常に便利である。
【００３９】
クリップ１は、クリップ本体７と保持具８とから形成されたシンプルな構成であり、クリップ本体７および保持具８それぞれも特殊な構成ではないので、容易に製造できる。
【００４０】
保持具本体３４は、周面部３５の一部が平坦な被取付面３６を有することにより、クリップ本体７に対して安定して取り付けることができる。
【００４１】
なお、被保持物は、カード体４を収用したケース体３には限定されず、保持具本体３４の周面部３５に係合可能な係合孔２を有する構成のものであればよい。
【００４２】
クリップ本体７は、第１挟持部材１１と第２挟持部材１３とから形成された構成としたが、このような構成には限定されず、挟持部１４を有する構成であればよい。
【００４３】
また、クリップ本体７は、第１挟持部材１１と第２挟持部材１３とを付勢する付勢手段として板ばね２９を設ける構成としたが、付勢手段は、第１挟持部材１１と第２挟持部材１３とを付勢できるものであればよい。
【００４４】
さらに、クリップ本体７は、挟持爪部１６と挟持爪部２６とによって挟持部１４を形成する構成としたが、このような構成には限定されず、挟持部１４は、被装着箇所を挟持可能な構成であれば、例えば、挟持爪部１６，２６を設けない平坦な構成や、滑り止め等のずれ防止手段を設けた構成等にしてもよい。
【００４５】
クリップ本体７の保持具取付部３０が突起状に形成され、保持具８の被取付部３７が孔状に形成された構成には限定されず、保持具取付部３０と被取付部３７とは、クリップ本体７に対して保持具８が回動可能に取り付けられる構成であればよい。
【００４６】
保持具本体３４は、略円筒状の構成には限定されず、保持具本体３４が、一方の開口部３２および他方の開口部３３の開口方向を軸方向とする筒状の構成であれば、例えば四角筒状や三角筒状等の構成にしてもよい。
【００４７】
保持具本体３４は、周面部３５の一部が平坦な構成には限定されず、保持具取付部３０と被取付部３７とが回動可能に取り付けることができる構成であれば、例えば、周面部３５に平坦な被取付面３６が形成されていない円筒状の構成等でもよい。
【００４８】
挿通部３８の切り欠きの幅は、吊り下げられることが想定される被保持物の厚みと同等に設定された構成としたが、このような構成には限定されない。例えば、被保持物の厚みより挿通部３８の切り欠きの幅が大きい構成や、想定される被保持物の厚みより挿通部３８の幅をやや小さく設定する構成等にしてもよい。想定される被保持物の厚みより挿通部３８の幅をやや小さく設定する場合は、挿通部３８に被保持具の一部を挿通する際に、保持具本体３４を弾性変形させて挿通部３８を拡げて、被保持具８の一部を挿通する。
【００４９】
ここで、上記実施の形態では、挿通部３８が、保持具本体３４の軸方向に対して傾斜した直線状の形状の構成として説明にしたが、このような構成には限定されず、例えば、保持具本体３４の軸方向に平行な直線状の構成、湾曲した形状の構成にしてもよく、また、図４、図５および図６に示すような構成等にしてもよい。
【００５０】
図４に示す構成では、挿通部４８は、略直線状の第１切欠部４９と略直線状の第２切欠部５０とから形成されている。第１切欠部４９は、一端が一方の開口部３２に接続し、他端が一方の開口部３２と他方の開口部３３との間に位置し、保持具本体３４の軸方向に対して傾斜状に形成されている。第２切欠部５０は、第１切欠部４９の他端から他方の開口部３３へわたって連続して形成され、保持具本体３４の軸方向に対して傾斜し、かつ、第１切欠部４９とは同一直線上に位置せず異なる方向へのびている。すなわち、挿通部４８は、第１切欠部４９と第２切欠部５０とが接続した境界部にて屈曲した略へ字形に形成されている。
【００５１】
そして、このように挿通部４８が第１切欠部４９と第２切欠部５０との境界部にて屈曲した形状に形成されていることにより、クリップ１の使用中に、ケース体３の係合孔２の内周縁における保持具本体３４の周面部３５に接触している部分と、挿通部４８とが平行になり難いので、例えば挿通部４８が下向きになった場合等でも、挿通部４８からケース体３が抜け落ち難く、ケース体３の脱落をより確実に防止できる。また、ケース体３を挿通部４８に挿通する際には、ケース体３の端部を少し屈曲させるだけでよいので、容易に挿通でき、操作性も良好である。
【００５２】
図５に示す構成では、挿通部５２は、第１切欠部としての端切欠部５３と、第２切欠部としての端切欠部５４と、これら端欠部５３および端切欠部５４に接続した第３切欠部５５とを有している。端切欠部５３は、一端が一方の開口部３２に接続し、他端が周面部３５上に位置し、保持具本体３４の軸方向と平行な直線状に形成されている。端切欠部５４は、一端が他方の開口部３３に接続し、他端が周面部３５上に位置し、保持具本体３４の軸方向と平行な直線状に形成されている。第３切欠部５５は、保持具本体３４の軸方向の略中央に位置し、端切欠部５４の他端から端切欠部５５の他端へわたって連続して形成されている。また、第３切欠部５５は、一端が端切欠部５３の他端に接続し、この端切欠部５３に対して垂直な補助切欠部５６と、一端が端切欠部５４の他端に接続し、この端切欠部５４に対して垂直な補助切欠部５７と、補助切欠部５６の他端から補助切欠部５７の他端へわたって設けられ、保持具本体３４の軸方向と平行な中央切欠部５８とから形成されている。ここで、端切欠部５３と端切欠部５４とは同一直線上に位置しているが、第３切欠部５５は、中央切欠部５８が端切欠部５３，５４と平行であるものの、同一直線上には位置しておらず、補助切欠部５６，５７および中央切欠部５８のいずれも、端切欠部５３，５４とは同一直線上に位置しないように配置されている。すなわち、挿通部５２は、端切欠部５３，５４の内端から保持具本体３４の周方向へ折曲し、周方向へ凸状に形成されている。
【００５３】
そして、挿通部５２が保持具本体３４の周方向へ折曲状に形成されていることにより、クリップ１の使用中に、ケース体３の係合孔２の内周縁における保持具本体３４の周面部３５に接触している部分と、挿通部４８とが平行になり難いので、ケース体３の係合孔２の内周面は略直線状であるので、例えば挿通部５２が下向きになった場合等でも、ケース体３が挿通部５２から抜け落ち難く、吊り下げられたケース体３の脱落をより確実に防止できる。また、ケース体３の一部を挿通部５２に挿通させる際には、ケース体３の挿通する部分を凸状に折曲する必要があるので、多少挿通させ難いものの、ケース体３の係合状態が解除され難く、確実に保持できる。
【００５４】
なお、この図５の構成では、第３切欠部５５が端切欠部５３および端切欠部５４と同一直線上に位置しないように配置された構成としたが、第３切欠部５５が、端切欠部５３および端切欠部５４の少なくともいずれか一方と同一直線上に位置しないように配置されていればよい。また、第３切欠部５５は、補助切欠部５６，５７および中央切欠部５８から形成された構成としたが、このような構成には限定されず、第３切欠部５５が端切欠部５３の他端と端切欠部５４の他端との間に連続して形成されていれば、第３切欠部５５の形状は適宜設定できる。
【００５５】
図６（ａ）に示す構成では、挿通部６１は、切欠部６２にて形成されている。この切欠部６２は、一方の開口部３２から他方の開口部３３へわたって連続して設けられ、一方の開口部３２の一部と他方の開口部３３の一部とを結ぶ線分を弦とする円弧状に形成されている。
【００５６】
また、図６（ｂ）に示す構成では、挿通部６１は、連続して形成された切欠部６３および切欠部６４を有している。切欠部６３は、一端が一方の開口部３２に接続し、他端が周面部３５上に位置し、これら一端と他端とを結ぶ線分を弦とする円弧状に形成されている。また、切欠部６４は、一端が他方の開口部３３に接続し、他端が周面部３５上の切欠部６３の他端に接続し、これら一端と他端とを結ぶ線分を弦とする円弧状に形成されている。
【００５７】
なお、図６（ａ）および図６（ｂ）の構成では、挿通部６１が円弧状の切欠部６２にて形成された構成、挿通部６１が円弧状の切欠部６３,６４にて形成された構成としたが、これらの構成には限定されず、挿通部６１は、一方の開口部３２から他方の開口部３３へわたって連続した少なくとも１つの略円弧状の切欠部にて形成された構成であればよい。
【００５８】
そして、このように、挿通部６１が少なくとも１つの円弧状の切欠部にて形成されることにより、クリップ１の使用中に、ケース体３の係合孔２の内周縁における保持具本体３４の周面部３５に接触している部分と、挿通部４８とが平行になり難いので、例えば挿通部６１が下向きになった場合等でも、挿通部６１からケース体３が抜け落ち難く、ケース体３の脱落をより確実に防止できる。また、ケース体３を挿通部に挿通する際には、ケース体３の端部を少し屈曲させるだけでよいので、容易に挿通でき、操作性も良好である。
【符号の説明】
【００５９】
１    クリップ
２    係合孔
３    被保持物としてのケース体
７    クリップ本体
８    保持具
１４  挟持部
３０  保持具取付部
３２  一方の開口部
３３  他方の開口部
３４  保持具本体
３５  周面部
３７  被取付部
３８  挿通部
４８  挿通部
４９  第１切欠部
５０  第２切欠部
５２  挿通部
５３  第１切欠部としての端切欠部
５４  第２切欠部としての端切欠部
５５  第３切欠部
６１  挿通部
【図１】
2010281390.tif 000003
【図２】
2010281390.tif 000004
【図３】
2010281390.tif 000005
【図４】
2010281390.tif 000006
【図５】
2010281390.tif 000007
【図６】
2010281390.tif 000008